(57)【要約】サーフィン・パラメータ・ゲージおよび転送装置は、サーフボード測定装置または任意の他の類似の固体本体によりカバーされている速度、時間および空間であり、水に対するサーフボードの変位をピックアップすることができるセンサを収容していて、データを電気信号に変換し、それを処理データ・ユニットに送る多機能モジュール（２）を備える。多機能モジュール（２）は、内部にハウジングに対して旋回するカプセル（１０）を有するサーフボード（１）船体内に埋め込まれているハウジング（１１）を備え、カプセル（１０）は、外部の幾何学的形状が球形であるローブ（４）および球形に半径方向に接続している頭部を切除した円筒体ステムを有する。
2006524600.tif 000002
【特許請求の範囲】
【請求項１】
サーフィン・パラメータ・ゲージおよび転送装置であって、ボードが、水上で変位し、サーフボード本体に固定されていて、多機能モジュール（２）が、ハウジング（１１）内に設置されているカプセル（１０）により形成されている前記多機能モジュール（２）を備え、前記カプセル（１０）が、その内部に前記カプセル（１０）の外側で球形ローブ（４）のステムに接続しているポテンショメータ（５）を有し、前記カプセル（１０）が、内部に前記ポテンショメータ（５）から電気信号を受信するマイクロコントローラ（６）を有し、前記カプセル（１０）が、前記マイクロコントローラ（６）から信号を受信する無線送信セット（７）を有し、前記カプセル（１０）が、前記ハウジング（１１）本体に固定されているリテーナ・リング（１２）の動作により、前記ハウジング（１１）内に取り付けられた状態に維持されるサーフィン・パラメータ・ゲージおよび転送装置。
【請求項２】
前記多機能モジュール（２）が、流体媒体内で移動する固体本体に固定されている、請求項１に記載のサーフィン・パラメータ・ゲージおよび転送装置。
【請求項３】
前記カプセル（１０）が、前記カプセル（１０）のシャフト（１３）の先端を中心にして、ハウジング（１１）に対して旋回し、前記シャフト（１３）の先端が、前記ハウジング（１１）本体内のベアリング（１５）上に留まり、前記カプセル（１０）本体を横方向に押す前記リテーナ・リング（１２）のところに位置するネジ（２０）により、前記カプセル（１０）の旋回を止めることができる、請求項１に記載のサーフィン・パラメータ・ゲージおよび転送装置。
【請求項４】
前記ローブ（４）の幾何学的形状が、半径方向に延びるステムを有する球形であり、他方のステムの端部上にポテンショメータ（５）に接続している膝継手を有する、請求項１に記載のサーフィン・パラメータ・ゲージおよび転送装置。
【請求項５】
前記多機能モジュール（２）が移動する前記流体媒体に接触している前記球形ローブ（４）を備える、請求項１に記載のサーフィン・パラメータ・ゲージおよび転送装置。
【発明の詳細な説明】
【技術分野】
【０００１】
本発明は、水に対するサーフボードの変位をピックアップし、受信データを電気信号に変換し、それをデータ処理ユニットに送ることができるセンサを内蔵するカプセルを備える測定装置に関する。
【背景技術】
【０００２】
現在、流体媒体内を移動する物体の速度の測定が、抵抗領域を移動する物体の流体力学ラインおよび流体摩擦損失を評価するために実験室で進められている。試験は、流体に対する物体の相対運動をシミュレートする。物体は停止していて、流体がその周囲を流れる。実験室でのシミュレーション試験の際に使用する測定器具およびゲージは、物体がサーフボードであり、リアルタイムであちこち移動している場合には、測定の際に適用されない。
【特許文献１】ＩＮＰＩ／ブラジルで出願されたＰＩ０１０６５９８−０
【発明の開示】
【０００３】
現在、「現場」での測定は行うことができない。すなわち、リアルタイムであちこち移動しているサーフボードを使用して行うことができない。サーフボード自身の重量、運動抵抗、サーファーの位置決めその他のようなサーフボードの性能に対する現在の未解決のパラメータを有意に損なわないサーフボードに固定されている測定装置が存在しないからである。
【０００４】
（従来技術の説明および発明の概要）
２０００年１２月２８付けで、ＩＮＰＩ／ブラジルで出願されたＰＩ０１０６５９８−０（特許文献１）は、サーフボードおよび相関物用の遠隔計測システムを記述している。この出願は、発明のアイデアの機能的態様および取得、送信、記憶および情報データ・サブシステムを有するブロック図を開示している。
【０００５】
本発明のサーフィン・パラメータ・ゲージおよび転送装置は、サーフボードに固定され、接触している水に対するサーフボードの相対速度を瞬間的にリアルタイムでピックアップする機能を有する。瞬間速度ベクトルからのデータはコンピュータに送られ、コンピュータは、特定のソフトウェアにより、水の流れに対する速度および方向のサーフボードのモジュールに関する情報を処理して送信し、生体力学の研究を推進し、競技の判定についての情報を蓄積し、またマルチメディア・プレーゲームの開発のためのデータバンクを生成するために、サーフボードおよび付属品を備える装置の技術的性能分析のための有用な情報を提示する。
【０００６】
動作できるように、サーフィン・パラメータ・ゲージおよび転送装置は、サーフボード上に設置されている多機能モジュール、および受信およびデータ処理ユニット（ＣＰＵ）を有する。多機能モジュールは、一方は、マイクロコントローラであり、他方は、無線周波送信セットである２つのポテンショメータに接続しているローブを有する。水に対するサーフボードの変位によるローブの変位は、ポテンショメータにより電気信号に変換され、電気信号はマイクロコントローラにより変換され、強化され、マイクロコントローラは、データを無線周波送信セットに送る。海辺の固定局は、データの受信／送信ユニット（ＣＰＵ）であり、無線周波信号を受信し、データをコンピュータに送る無線受信セットを備える。このコンピュータは、情報を処理し、送信する本特許出願の主題ではない特定のソフトウェアを有する。
【発明を実施するための最良の形態】
【０００７】
組立て作業中、ハウジング（１１）は、サーフボード（１）の船体内に永久に埋め込まれる。カプセル（１０）は、ハウジング（１１）内に取り付けられ、そのためシャフト（１３）はベアリング（１５）上に留まる。リテーナ・リング（１２）は、カプセル（１０）が緩むのを防止するために、ハウジング（１１）本体にネジ止めされる。カプセル（１０）は、球形ローブ（４）をカプセル（１０）の外部およびハウジング（１１）の外部に、またはハウジング（１１）内の輸送およびサーフボード取扱い位置に位置決めする機能を有するシャフト（１３）を中心にして旋回することができる。球形ローブ（１０）を内側にして、または外側にして行うカプセル（１０）の固定は、カプセル（１０）本体上に位置する溝（２２）のうちの一方に入るラッチ（２１）の動作により、カプセル（１０）をロックするネジ（２０）を回すことにより行われる。球形ローブ（４）は、球形面をカプセル（１０）の内側部分に接続しているステムを有する。ステムは、カプセル（１０）の内側のその端部のところに膝継手を有する。
【０００８】
測定を行うために、サーフボード（１）は、水上を移動し、球形ローブ（４）は水中に埋没する。水の運動エネルギーが球形面に逆らって球形ローブ（４）を押す。球形面は、回転の中心としての膝継手を有するステムの軸に対して傾斜する。膝継手は、カプセル（１０）の内側に位置していて、ジョイスティックのようにポテンショメータ（５）に接続している。運動水圧力が加わらなくなると、弾性ばねの力が球形ローブ（４）をその元の位置に戻す。ポテンショメータ（５）は、時間単位に沿ってベクトルの変位座標ＸＹを位置合せする。次に、データがマイクロコントローラ（６）によりピックアップされ、変換され、無線周波により固定局（３）に送られる。
水の変位に抵抗する球形ローブ（４）は、本発明の顕著な特徴であり、水の変位の方向がサーフボード（１）に対してどちらを向いていようとも、球形は変位に対して同じ力で抵抗する。
【０００９】
（他の実施形態の説明）
本明細書においては、パラメータ・ゲージおよび転送装置を、実際の用途の一例のように、また本発明をよりよく理解してもらうためにサーフボードに固定されているものとして説明してきた。本発明は、水上、空中または任意の他の流体媒体内を移動する他の装置および車両にも使用することができる。本明細書に記述したパラメータ・ゲージおよび転送装置は、ウィンドサーフボード、カイトサーフボード、ウェイクボード、ボディボード、ボートまたは他の航行可能な車両のような装置に設置することができる。
本装置は実際に実行することができる。何故なら、大部分のサブモジュールは、従来技術により入手することができるからである。
【図面の簡単な説明】
【００１０】
【図１】サーフボードの船体上に埋め込まれている多機能モジュール（２）を備えるサーフボード（１）の略図である。この図は、無線受信セット（８）およびコンピュータ（９）を備える固定局（３）も示す。
【図２】サブモジュール、すなわち、球形ローブ（４）と、ポテンショメータ（５）と、マイクロコントローラ（６）と、無線送信セット（７）とを有する多機能モジュール（２）の略図である。
【図３】サーフボード（１）の船体内に埋め込まれている多機能モジュール（２）を示すサーフボード（１）の略断面図である。多機能モジュール（２）は、カプセル（１０）と、ハウジング（１１）と、リテーナ・リング（１２）とを備える。カプセル（１０）は、ポテンショメータ（５）と、マイクロコントローラ（６）と、無線送信セット（７）とを収容している。球形ローブ（４）は、カプセル（１０）の外側に位置していて、カプセル（１０）は、ハウジング（１１）の内側に位置している。この図は、また、ハウジング（１１）の内側にカプセル（１０）を保持しているリテーナ・リング（１２）も示す。
【図４】２つのシャフト（１３）と、２つの充填ブリム（１４）と、カプセル（１０）の本体上の２つの溝（２２）とを有するカプセルの側面図である。この図は、また、カプセル（１０）外部の球形ローブ（４）も示す。
【図５】２つのシャフト（１３）および２つの充填ブリム（１４）を有するカプセル（１０）の平面図である。この図は、また、カプセル（１０）外部の球形ローブ（４）も示す。
【図６】シャフト（１３）を支持するためのベアリング（１５）および球形ローブ（４）を収容するトラフ（１６）を備えるハウジング（１１）の断面図である。
【図７】シャフト（１３）を支持するためのベアリング（１５）および球形ローブ（４）を収容するトラフ（１６）を備えるハウジング（１１）の正面図である。
【図８】その先端にラッチ（２１）を有するネジ（２０）を備えるリテーナ・リング（１２）の断面図である。
【図９】トラフ（１６）の断面類似の断面を有する２つの凹部（１７）を備えるリテーナ・リング（１２）の正面図である。この図は、その先端にラッチ（２１）を備えるネジ（２０）も示す。
【図１０】カプセル（１０）が１８０度回転した場合のハウジング（１１）の断面図である。ハウジングはサーフボード輸送位置にある。球形ローブ（４）は、ハウジング（１１）内に収容され保護されている。カプセル（１０）のカバー（１８）はハウジング（１１）の外部にステーが露出している側面に位置する。
【図１１】カプセル（１０）が９０度回転した場合の多機能モジュール（２）の正面図である。図に示すように、トラフ（１６）は、球形ローブ（４）とほぼ等しい断面を有する。
【符号の説明】
【００１１】
１  サーフボード                  ２  多機能モジュール
４  球形ローブ                    ５  ポテンショメータ
６  マイクロコントローラ          ７  無線送信セット
１０  カプセル                    １１  ハウジング
１２  リテーナ・リング            １３  シャフト
１５  ベアリング                  ２０  ネジ
【図１】
2006524600.tif 000003
【図２】
2006524600.tif 000004
【図３】
2006524600.tif 000005
【図４】
2006524600.tif 000006
【図５】
2006524600.tif 000007
【図６】
2006524600.tif 000008
【図７】
2006524600.tif 000009
【図８】
2006524600.tif 000010
【図９】
2006524600.tif 000011
【図１０】
2006524600.tif 000012
【図１１】
2006524600.tif 000013
【国際調査報告】
2006524600.tif 000014
2006524600.tif 000015